(57)【要約】【課題】自然エネルギーを有効活用し、安価に実現できる空調システムを提供する。【解決手段】建物内に設けられ、空気循環経路の一部及び蓄熱空間を兼ねる二重床の床下空間１と、屋外と屋内との間で空気を給排気し、この給排気する空気間で熱交換可能な第１熱交換装置４と、屋外に設けられ、前記第１熱交換装置４を経由した空気と、外気及び太陽熱のいずれかとの間で熱交換可能な第２熱交換装置３と、前記第１熱交換装置４を経由した空気を前記第２熱交換装置３へ導く第１送気通路４１と、前記第１熱交換装置４を経由した空気を前記床下空間１へ導く第２送気通路４２と、前記第２熱交換装置３を経由した空気を前記床下空間１へ導く第３送気通路４３と、前記床下空間１内の空気を室内へ導く送気口２と、前期室内へ導かれた空気を屋外に排気するための第４送気通路と、外気の温湿度に基づいて、取り入れた外気の循環経路を制御する制御装置と、を備える。【選択図】　図１
2004076985.tif 000002
【特許請求の範囲】
【請求項１】
建物内に設けられ、空気循環経路の一部及び蓄熱空間を兼ねる二重床の床下空間と、
屋外と屋内との間で空気を給排気し、この給排気する空気間で熱交換可能な第１熱交換装置と、
屋外に設けられ、前記第１熱交換装置を経由した空気と、外気及び太陽熱のいずれかとの間で熱交換可能な第２熱交換装置と、
前記第１熱交換装置を経由した空気を前記第２熱交換装置へ導く第１送気通路と、
前記第１熱交換装置を経由した空気を前記床下空間へ導く第２送気通路と、
前記第２熱交換装置を経由した空気を前記床下空間へ導く第３送気通路と、
前記床下空間内の空気を室内へ導く送気口と、
前期室内へ導かれた空気を屋外に排気するための第４送気通路と、
外気の温湿度に基づいて、取り入れた外気の循環経路を制御する制御装置と、を備えている建物の空調システム。
【請求項２】
前記第１熱交換装置は、屋外からの給気と屋内からの排気との間で熱交換する熱交換器と、前記屋外からの給気と屋内からの排気のいずれかが前記熱交換器をバイパスするバイパス手段とを備え、前記制御装置は、前記バイパス手段を制御するバイパス制御装置を備えることを特徴とする請求項１記載の建物の空調システム。
【請求項３】
前記制御装置は、外気、屋内空気の温湿度及び第２熱交換装置の温度を検知する温湿度検知装置と、その温湿度検知装置の出力に基づいて前記第１送気通路及び第２送気通路の何れかを選択する経路選択装置とを備えることを特徴とする請求項１又は請求項２に記載の建物の空調システム。
【請求項４】
前記制御装置は、前記温湿度検知装置の出力に基づいて、前記第１熱交換装置が給排気する空気量を調整する空気量調整装置を備えていることを特徴とする請求項３記載の建物の空調システム。
【請求項５】
建物の高さ方向に延び、上端開口が外気に解放された排気通路を備え、その排気通路に前記屋内から屋外への排気通路が接続されていることを特徴とする請求項１から請求項４の何れかに記載の建物の空調システム。
【請求項６】
前記第２熱交換装置は、その熱交換器部分がパネル状であり、日射を受ける位置に配置されていることを特徴とする請求項１から請求項５のいずれかに記載の建物の空調システム。
【発明の詳細な説明】
【０００１】
【発明の属する技術分野】
本発明は、建物の空調システムであり、特に、集合住宅の空調システムとして好適な技術に関する。
【０００２】
【従来の技術】
従来、集合住宅の空調システムとしては、シックハウス等の空気質対策として２４時間換気システムが挙げられる。この機械換気システムは、例えば、便所、廊下天井等から室内の空気を排気し、給気は各居室壁面の自然給気口から行う方式がある。または、集合住宅内に、集中型給排気装置とダクトを設けて、この集中型給排気装置によりダクト経由で各室の天井開口部から給気し、便所、廊下天井等から排気する方法がある。この集中型給排気装置は、給気と排気との間で熱交換を行い省エネルギーを図ることが出来るため、近年このシステムを導入する集合住宅は増えつつある。
【０００３】
しかし、２４時間換気システムの本来の目的は、室内の空気質向上であり、常時一定量の新鮮な室外空気を導入するシステムである。そのため、外気の温湿度条件が極端に悪いときでも外気を室内に導入し、空調エネルギーが増大することもある。さらに、集中型給排気装置とダクトを用いる換気システムは、各室へ通じるダクト工事が必要であり、初期設備費は増大する。
【０００４】
一方、近年、環境問題への対応や、エネルギー源の多様化を図る目的から自然の資源をエネルギー源として有効活用する取り組みが進んでおり、建物にも空調システム、省エネルギー対策等に自然エネルギーを利用するものが増えてきている。
【０００５】
建物の省エネルギー対策として自然エネルギーは、例えば、屋根面や屋上等の屋外に集熱パネルを設けて、この集熱パネルにより太陽熱を収集し、この集熱を、暖房、給湯に利用したり、夜間のエネルギー源として、基礎コンクリート等の蓄熱体に蓄えたりして利用されている。また、自然エネルギーは、外気の温湿度条件が良いときに、通風を良くしたり、予め通風性を考慮した間取りにして涼感を得たり、屋内と屋外の温度差により換気を行う等によっても利用されている。
【０００６】
しかし、太陽熱を収集する際には、集熱装置の他、新たに熱の循環経路、循環装置及び蓄熱装置などが必要であり初期設備が増大する。そのため、特に集合住宅では、入居者の考えが様々であり導入することが困難であることが多い。また、通風により自然エネルギーを得る場合は、各室によって温度分布差が生じたり、通風を良くするために窓の開閉等の人手による作業が必要である等で十分な効果が得られない問題点がある。
【０００７】
【発明が解決しようとする課題】
本発明は、このような問題に鑑みて成されたものであり、自然エネルギーを有効に活用した空調システムを提供することを目的とする。
【０００８】
【課題を解決するための手段】
本発明は、建物内に設けられ、空気循環経路の一部及び蓄熱空間を兼ねる二重床の床下空間と、屋外と屋内との間で空気を給排気し、この給排気する空気間で熱交換可能な第１熱交換装置と、屋外に設けられ、前記第１熱交換装置を経由した空気と、外気及び太陽熱のいずれかとの間で熱交換可能な第２熱交換装置と、前記第１熱交換装置を経由した空気を前記第２熱交換装置へ導く第１送気通路と、前記第１熱交換装置を経由した空気を前記床下空間へ導く第２送気通路と、前記第２熱交換装置を経由した空気を前記床下空間へ導く第３送気通路と、前記床下空間内の空気を室内へ導く送気口と、前期室内へ導かれた空気を屋外へ排気するための第４送気通路と、外気の温湿度に基づいて、取り入れた外気の循環経路を制御する制御装置と、を備えている建物の空調システムである。
【０００９】
第１熱交換装置が取り入れた外気は、制御装置に基づき、必要に応じて、第１熱交換装置及び第２熱交換装置を経由して床下空間へ送られて蓄熱される。そして、温湿度調整された空気は、床下空間を経由し室内全体に導入され、室内の空気は第１熱交換装置を経由して屋外へ排出される。このようにして、自然エネルギーを有効に活用することにより外気を室内に適した状態に調整し、この調整した空気を室内全体に渡って循環させる。
【００１０】
前記構成により、空調システムに自然エネルギーを有効活用することが出来る。また、二重床の床下空間を空気の循環経路に用いたことで、新たにダクトを設ける必要がなく、さらに、床スラブに蓄熱することが可能であるため新たに蓄熱材を設ける必要がなく、安価に自然エネルギーを利用した空調システムを実現することが可能となる。
【００１１】
また、前記第１熱交換装置は、屋外からの給気と屋内からの排気との間で熱交換をする熱交換器と、前記屋外からの給気と屋内からの排気のいずれかが前記熱交換器をバイパスするバイパス手段とを備え、前記制御装置は、前記バイパス手段を制御するバイパス制御装置を備えることが望ましい。
【００１２】
前記構成により、制御装置は、外気と室内の空気の温湿度に基づいて、第１熱交換装置が給排気する空気のいずれかを熱交換器からバイパスさせる。いずれかが熱交換器をバイパスしたときは、給排気する空気間で熱交換は行われず、外気は熱を加えられたり、奪われたりすることなく屋内へ導かれる。制御装置により熱交換器をバイパスするか否かが判断されるので、自動的に空気調整を行うことが出来る。
【００１３】
さらに、前記制御装置は、外気、屋内空気の温湿度及び第２熱交換装置の温度を検知する温湿度検知装置と、その温湿度検知装置の出力に基づいて前記第１送気通路及び第２送気通路の何れかを選択する経路選択装置とを備えていることが望ましい。
【００１４】
前記構成により、第１熱交換装置が取り入れた外気は、第１送気通路と第２送気通路のうち自動的に適した送気通路に導かれる。従って、自然エネルギーにより外気を適した温湿度に調整して室内に導くことが出来る。
【００１５】
加えて、前記制御装置は、前記温湿度検知装置の出力に基づいて、前記第１熱交換装置が給排気する空気量を調整する空気量調整装置を備えていることが望ましい。
【００１６】
前記構成により、自動的に外気と屋内の空気との給排気量を変えることが出来て、自然エネルギーをより有効に活用することが可能である。
【００１７】
また、本発明は、建物の高さ方向に延び、上端開口が外気に解放された排気通路を備え、その排気通路に前記屋内から屋外への排気通路が接続されていることが望ましい。
【００１８】
前記構成により、屋内から屋外へ空気を排出する排気通路は、上端開口部で発生する風による風圧を受ける。この風圧は、屋内から屋外へ空気を排気する駆動力となり、前記第１熱交換装置による屋外への空気排気力を補助する。従って、風圧による省エネルギー効果が得られる。
【００１９】
また、前記第２熱交換装置は、その形状がパネル状であり、日射を受ける位置に配置することが望ましい。
【００２０】
前記構成により、第２熱交換装置は、受光面積の広いパネル状の集熱部分により、効果的に太陽熱を収集することが出来る。こうして収集した熱は、第２熱交換装置により、装置内を循環する空気に与えられ、有効に自然エネルギーを活用することが出来る。
【００２１】
また、この第２熱交換装置の集熱部分は、夜間等には天空放射により冷却される。こうして得られた冷熱は、第２熱交換装置により装置内を循環する空気に与えられ、有効に自然エネルギーを活用することが出来る。
【００２２】
尚、本発明は以上の構成に基づいているが、前記構成に限られず、可能な限りこれらを組み合わせることが出来る。
【００２３】
【発明の実施の形態】
以下、本発明に係る空調システムを集合住宅に用いた季節毎の実施の形態を図面に基づき説明する。図１から図３に示す住宅は、鉄筋コンクリート造の集合住宅である。屋内は二重床になっており、仕切のない床下空間１を有している。北側の居室ａの床板５には、床下空間１と室内をつなぐ送気口２が設けられている。また、屋外にはバルコニーＢが設けられており、このバルコニーＢの手摺は、第２熱交換装置を兼ねた集放熱パネル３で構成されている。そして、天井裏のバルコニーＢ近くに、第１熱交換装置を兼ねた換気装置４が設けられている。
【００２４】
換気装置４は、屋外と通じる給気通路４ａ、排気通路４ｂと接続されており、それぞれ外気と屋内の空気を給排気する。加えて、換気装置４は、床下空間１に給気する第２送気通路４２と、バルコニーの集放熱パネル３に給気する第１送気通路４１とそれぞれ接続されている。さらに、換気装置４は、屋内の空気を屋外へ排出するために屋内と通じる第４送気通路４４と接続されている。
【００２５】
さらに、この換気装置４内には、熱交換を行う熱交換部（図示せず）と、前記送気通路のうち適した送気通路を選択する経路選択装置としてのダンパー（図示せず）と、給排気する空気の量を調整する空気量調整装置としての送気ファン（図示せず）が設けられている。
【００２６】
また、外気を取り入れる給気通路４ａと、屋内の空気を排気する排気通路４ｂと、集放熱パネル３と床下空間１をつなぐ第３送気通路４３には、それぞれ、外気、室内の空気の温湿度、及び、集放熱パネル３内の空気の温度を検知する温湿度検知装置（図示せず）が設けられている。この温湿度検知装置の出力に基づいて、ダンパー、及び、送気ファンが制御されるように設定されている。
【００２７】
前記熱交換部は、取り入れた外気と、屋内から屋外へ排気する空気間で必要に応じて熱交換をする部分である。換気装置４内において、屋内から屋外へ排気する送気経路は、熱交換部を通る経路と、熱交換部をバイパスする経路とが設けられている。
【００２８】
前記温湿度検知装置の出力に基づいて、外気の温湿度が室内に適していると判断された場合には、屋内から屋外へ排出する空気は熱交換部をパイパスする経路へ導かれ、給排気される空気間で熱交換は行われない。しかし、屋内から屋外へ排出する空気の温湿度が、外気の温湿度より室内に適していると判断された場合には、屋内から屋外へ排出する空気は、熱交換部を通る経路に導かれ、給排気される空気間で熱交換が行われる。また、前記バイパス経路は、屋内から屋外へ送気する通路ではなく、屋外から屋内に送気する通路に、熱交換部をバイパスする経路を設けても良い。
【００２９】
さらに、バルコニーＢ部分には、屋内から屋外への空気の排気通路４ｂと接続された排気通路４ｃが建物の高さ方向に設けられている。この排気通路４ｃは、上部開口が外気に解放されており、上端開口部で発生する風による風圧を受ける。この風圧は、屋内から屋外へ空気を排気する駆動力となり、換気装置４による屋外への空気排気力を補助する。
【００３０】
（空調形態１）
図１は、本発明に係る空調システムを用いた集合住宅の冬季昼間の空気の循環経路を示している。以下、矢印で示した空気の循環経路に従って説明する。外気は、換気装置４に設けられた給気通路４ａを通じて換気装置４へ給気される（経路１１）。
【００３１】
このとき、給気する外気の空気量、及び、換気装置４内で熱交換を行うか否かは温湿度検知装置の出力に基づいて制御される。そして、換気装置４の熱交換部を通過した外気の送気先は、温湿度検知装置の出力によって、集放熱パネル３へと通じる第１送気通路４１か、床下空間１へと通じる第２送気通路４２が選択される。換気装置４の熱交換部を経由した外気に太陽熱を与えることが必要であると判断された場合に、外気は第１送気通路４１を通じて集放熱パネル３へ導かれる（経路１２）。一方、換気装置４の熱交換部を経由した外気を直接室内へ送ることが適していると判断された場合には、第２送気通路４２を通じて屋内の床下空間１へ導かれる（経路１３）。
【００３２】
集放熱パネル３は、バルコニーＢの手摺部分に合致させてパネル状に設けられており、太陽熱を広い面で受けることが可能である。従って、集放熱パネル３は、多くの太陽熱を収集し、この熱と集放熱パネル３に導かれた空気との間で熱交換を行う。冬季は外気の温度が低く、室内に給気するためには多くの熱を加える必要があるため、日中日射があたる時間には、有効に活用することが可能である。そして、集放熱パネル３により熱交換を行った空気は、第３送気通路４３を通じて床下空間１へ導かれる（経路１４）。
【００３３】
床下空間１は二重床であるため、仕切のない空間であり、床下空間１へ導かれた空気は床下空間１全体に行き渡る（経路１５）。床下空間１に導かれた空気により、床板５に熱が加えられる。そして、床板５が熱を室内へ放出し、室内の空気が暖められる（経路１６）。あるいは、床板５からの輻射により人体が直接暖められる。また、床下空間１へ導かれた空気は、床板５に蓄熱すると同時に、コンクリートスラブ６にも蓄熱することが可能である。コンクリートスラブ６に日中得た熱を蓄熱させておくことで、集合住宅に蓄熱材等を設けることなく、日中得た熱を夜間に有効利用することが可能である。
【００３４】
一方、床下空間１へ導かれた空気は、床板５に設けられた送気口２により室内へ導かれる（経路１７）。この集合住宅では、比較的日当たりの悪い北側居室ａに送気口２を設けて、北側居室ａから暖かい空気を導入することにより、各室の温度差を少なくすることが出来る。
【００３５】
ここで、本実施の形態では、送気口２は北側居室ａに設けられているが、本発明はこれに限られず、例えば、集合住宅の間取り、日照条件に応じて南側居室に設けても良い。
【００３６】
また、室内の空気は、新しい空気が導入されると同時に、不要な空気は屋外へと排出される。換気装置４と接続されている第４送気通路４４は、天井裏を通じて室内のトイレ部分に通じており、室内のトイレ部分から屋外へ排出する空気が第４送気通路４４に導かれる（経路１８）。
【００３７】
こうして屋外へ排出する空気は、第４送気通路４４を通じて換気装置４内に導かれる。この空気は、先述のように、温湿度検知装置の出力に基づいて、必要に応じて熱交換部を経由して排気通路４ｂに導かれる（経路１９）。この排気通路４ｂは、排気通路４ｃと連結しており、排気通路４ｃ上部の風による補助排気力を受ける。そして、屋内の空気は、屋外へ排出される（経路２０）。
【００３８】
このように空気を循環させることにより、太陽熱等、自然エネルギーを有効に利用して、室内全体に渡って、適した状態の空気を循環させることが出来る。冬季は、日中に自然エネルギーを蓄熱することにより、夜間においても自然エネルギーを利用することが可能である。また、排気通路４ｃを設けることで、換気装置４の排気駆動力が補助される。さらに、二重床の床下空間１を空気の循環経路としたことで、新たにダクトを設ける必要がなく、初期設備投資も抑えることが出来る。
【００３９】
（空調形態２）
次いで、図２は、本発明に係る空調システムを用いた集合住宅の夏季夜間の空気の循環経路を示している。図２に示す集合住宅は、図１に示す集合住宅と同様である。
【００４０】
以下、矢印で示した空気の循環経路に従って説明する。外気は、給気通路４ａを通じて換気装置４へ給気される（経路２１）。
【００４１】
このとき、空調形態１と同様に、給気する外気の空気量、及び、換気装置４内で熱交換を行うか否か、適した送気通路の選択は、温湿度検知装置の出力に基づいて制御されている。外気を集放熱パネル３の夜間放射により冷却したい場合には、外気は第１送気通路４１を通じて集放熱パネル３へ導かれる（経路２２）。一方、外気を直接室内へ送ることが適していると判断された場合には、第２送気通路４２を通じて屋内の床下空間１へ導かれる（経路２３）。
【００４２】
集放熱パネル３は、バルコニーＢの手摺部分に合致させてパネル状に設けられており、外気と広い面で接触している。そのため、夜間には放射冷却による外気の冷却効果を得ることが出来る。集放熱パネル３に導かれた空気は冷却されたのち、第３送気通路４３を通じて床下空間１へ導かれる（経路２４）。
【００４３】
床下空間１は仕切のない空間であり、床下空間１へ導かれた空気は床下空間１全体に行き渡る（経路２５）。床下空間１に導かれた空気により、床板５が冷却される。そして、床板５を通じて室内の空気が冷却される（経路２６）。あるいは、床板５からの輻射により、人体が直接冷却される。また、床下空間１へ導かれた空気は、床板５を冷却すると同時に、コンクリートスラブ６にも冷熱を蓄えることが可能である。
【００４４】
一方、床下空間１へ導かれた空気は、床板５に設けられた送気口２により室内へ導かれる（経路２７）。また、室内に新しい空気が導入されると同時に、室内の不要な空気は屋外へと排出される。換気装置４と接続されている第４送気通路４４は、天井裏を通じて室内のトイレ部分に通じており、室内のトイレ部分から屋外へ排出する空気が第４送気通路４４に導かれる（経路２８）。
【００４５】
こうして屋外へ排出する空気は、第４送気通路４４を通じて換気装置４内に導かれる。排気する空気は、温湿度検知装置の出力に基づいて必要に応じ熱交換部を経由して、排気通路４ｂへ導かれる（経路２９）。この排気通路４ｂは、排気通路４ｃと連結しており、排気通路４ｃ上部の風による補助排気力を受ける。そして、屋内の空気は、屋外へ排出される（経路３０）。
【００４６】
このように空気を循環させることにより、外気、放射冷却等、自然エネルギーを有効に利用して、室内全体に渡って、適した状態の空気を循環させることが出来る。夜間に自然エネルギーによる冷熱を蓄えることにより、省エネルギー化を図ることが出来る。また、排気通路４ｃを設けることで、換気装置４の排気駆動力が補助される。
【００４７】
また、本実施の形態では、送気口２は床板５に設けられているが、床下空間１と室内をつなぐことが出来れば良く、例えば、外壁と内壁の空間を床下空間１と連通させて、送気口２を内壁に設けても良い。夏季は、冷たい空気を室内に取り込む必要があり、冷たい空気は下方に溜まってしまうので、送気口２を上方に設けた方が室内全体を冷却することが可能である。さらに、例えば、送気口２は、床板に設けず、内壁の幅木部分に設けても良い。
【００４８】
（空調形態３）
次いで、図３は、本発明に係る空調システムを用いた集合住宅の夏期昼間や中間期等の空気の循環経路を示している。図３に示す集合住宅は、図１、図２に示す集合住宅と同様である。
【００４９】
以下、矢印で示した空気の循環経路に従って説明する。外気は、換気装置４に設けられた給気通路４ａから屋内へ給気される（経路３１）。
【００５０】
このとき、空調形態１と同様に、給気する外気の空気量、及び、換気装置４内で熱交換を行うか否か、適した送気通路の選択は、温湿度検知装置の出力に基づいて制御されている。但し、夏季昼間や暖房が不要な中間期は、通常外気の温度は高く集放熱パネル３により熱を加える必要はない。そのため通常は、換気装置４から第２送気通路４２を通じて床下空間１へ導かれる（経路３２）。
【００５１】
床下空間１は仕切のない空間であり、床下空間１へ導かれた空気は床下空間１全体に行き渡る（経路３３）。床下空間１のコンクリートスラブ６は、夜間冷熱を蓄えているため、床下空間１で空気は冷却される。
【００５２】
床下空間１で冷却された空気は、床板５に設けられた送気口２により室内へ導かれる（経路３４）。また、室内に新しい空気が導入されると同時に、室内の不要な空気は屋外へと排出される。換気装置４と接続されている第４送気通路４４は、天井裏を通じて室内のトイレ部分に通じている。屋外へ排出する空気は室内のトイレ部分から第４送気通路４４に導かれる（経路３５）。さらに、室内の不要な空気を屋外へ排出するのと同時に、屋内の天井裏の熱気も屋外へ排出する（経路３６）。通常暖かい空気は上方に溜まり、屋内の中でも天井裏の気温が高くなるため、天井裏の空気を排出すると屋内全体の温度を下げることが出来る。
【００５３】
こうして屋外へ排出する空気は、第４送気通路４４を通じて換気装置４内に導かれる。そして、排気する空気は、温湿度検知装置の出力に基づいて必要に応じて熱交換部を経由して、排気通路４ｂへ導かれる（経路３７）。この排気通路４ｂは、排気通路４ｃと連結しており、排気通路４ｃ上部の風による補助排気力を受ける。そして、屋内の空気は、屋外へ排出される（経路３８）。
【００５４】
このようにして、空気を循環させることにより、外気、放射冷却等、自然エネルギーを有効に利用して、室内全体に渡って、適した状態の空気を循環させることが出来る。特に夏季は、屋内の上方に溜まった熱気を排出することにより、屋内全体の温度を下げることが可能である。
【００５５】
【発明の効果】
以上のように本発明によれば、外気、太陽熱等の自然エネルギーを有効に活用し、屋内の空気調整をすることが出来る。また、床下空間を空気の循環経路に利用したことで、空調システムのために新たにダクト、蓄熱材を設ける必要がなく、初期設備投資を軽減することが出来る。
【図面の簡単な説明】
【図１】空調の形態１に係る集合住宅の冬季日中の空気の循環経路
【図２】空調の形態２に係る集合住宅の夏季夜間の空気の循環経路
【図３】空調の形態３に係る集合住宅の夏季日中及び中間期の空気の循環経路
【符号の説明】
１　床下空間
２　送気口
３　集放熱パネル
４　換気装置
５　床板
６　コンクリ−トスラブ
４１　第１送気通路
４２　第２送気通路
４３　第３送気通路
４４　第４送気通路
４ａ　給気通路
４ｂ　排気通路
４ｃ　排気通路
ａ　北側居室
Ｂ　バルコニー
【図１】
2004076985.tif 000003
【図２】
2004076985.tif 000004
【図３】
2004076985.tif 000005